(57)【要約】【課題】    組立性を向上させ組立工程における部品不良をなくし、安価なバックライト装置を提供する。【解決手段】  枠体１０と、該枠体１に保持される導光板１と、該導光板１の上面側に配置される光拡散シート２、プリズムシート３等のシート状部材とを備えたバックライト装置において、枠体１０は枠本体１０ｂと該枠本体１０ｂと分離可能に結合される略コの字状の形状をなす固定枠１０ａとを備え、枠本体１０ｂは互いに対向する二つの側壁１８ａ、１８ｂと該二つの側壁１８ａ、１８ｂのそれぞれに厚さ方向に貫通する貫通孔１６ａ、１６ｂとを有し、固定枠１０ａは貫通孔１６ａ、１６ｂに結合する結合突起部１３ａ、１３ｂを有し、貫通孔１６ａ、１６ｂに結合突起部１３ａ、１３ｂを係止させることによって枠本体１０ｂに固定枠１０ａを結合し枠体１０に導光板１及びシート状部材を保持してなることを特徴とする。【選択図】    図１
2006164522.tif 000002
【特許請求の範囲】
【請求項１】
枠体と、該枠体に保持される導光板と、該導光板の上面側に配置される光拡散シート、プリズムシート等のシート状部材とを備えたバックライト装置において、
前記枠体は前記導光板およびシート状部材を収納する枠本体と、該枠本体と分離可能に結合される略コの字状の形状をなす固定枠とを備え、前記枠本体は互いに対向する二つの側壁と該二つの側壁のそれぞれに厚さ方向に貫通する貫通孔とを有し、前記固定枠は前記貫通孔に結合する結合突起部を有し、前記貫通孔に結合突起部を係止させることによって、前記枠本体に前記固定枠を結合し、前記枠体に前記導光板及びシート状部材を保持してなることを特徴とするバックライト装置。
【請求項２】
前記枠体は、前記枠本体と二つの前記固定枠とを備え、前記枠本体に設ける貫通孔は前記二つの側壁のそれぞれの両端付近に設けられ、その内面に凹部を有し、前記二つの固定枠は板状部材と該板状部材の両端のそれぞれに設ける脚部と、該それぞれの脚部の先端内側に設ける結合突起部とを有し、前記二つの固定枠を前記二つの側壁の両端付近にそれぞれ配置し、前記シート状部材を前記導光板と前記固定枠との間に狭持し、前記枠本体の貫通孔の凹部と前記固定枠の結合突起部とをフック結合させることによって前記枠本体に前記固定枠を結合させたことを特徴とする請求項１記載のバックライト装置。
【請求項３】
前記枠本体は枠状体の一辺が開口されたコの字状の平面形状をなし、前記二つの側壁のそれぞれの内壁の全長に亘って設ける溝と、前記二つの側壁の開口されている端部付近のそれぞれに設ける前記貫通孔とを有し、前記固定枠は板状部材と該板状部材の四隅のそれぞれに設ける四つの脚部と、該四つの脚部の先端にそれぞれ設ける結合突起部とを有し、前記溝に前記導光板及びシート状部材を挿入配置した後、前記二つの側壁の開口されている端部に前記固定枠を当接し、前記枠本体の貫通孔と前記固定枠の結合突起部とをフック結合させることによって前記枠本体に前記固定枠を結合させたことを特徴とする請求項１記載のバックライト装置。
【発明の詳細な説明】
【技術分野】
【０００１】
本発明はバックライト装置に係わり、特に組立が容易なバックライト装置に関する。
【背景技術】
【０００２】
近年、液晶セルを用いた表示装置は、時計、電話機、パソコン等のあらゆる電子機器に搭載されている。このような電子機器にあって、特に時計や携帯電話等は夜間や暗所においても使用されるため、液晶セルを照明するバックライトを備えたものが多い。このバックライトは液晶表示素子の裏面側に、アクリル等の透明合成樹脂製の導光板を配置し、この導光板の下面又は端面に配置した光源からの光を、導光板を介して液晶表示素子の全体に分散するように構成したもので、導光板の液晶表示素子側の表面には、合成樹脂製の光拡散シートの少なくとも一枚を、或いは、必要に応じて、この光拡散シートに重ねて輝度上昇のためのプリズムシートを積層するという構成にしている。
【０００３】
この場合、導光板に対して積層される少なくとも一枚の光拡散シート、又は、光拡散シート、プリズムシート等のシート状部材は、液晶表示素子への組み付けを容易にするために導光板、またはシート状部材を収納する枠体に固着される。この固着方法の第１の従来例を図１０に示す。図１０は第１の従来例のバッライト装置の主要部を示し図１０（ａ）は平面図、図１０（ｂ）は図１０（ａ）におけるＡ−Ａ断面図である。図１０に示すように第１の従来例のバッライト装置は導光板１を保持した枠体８の段部８ａに２枚の光拡散シート２、及び輝度上昇を目的とするプリズムシート３等のシート状部材を配置し、接着テープ９を用いてシート状部材を枠体８に固着している。
【０００４】
また、第２の従来例を図１１に示す。図１１は第２の従来例のバッライト装置の主要部を示し図１１（ａ）は平面図、図１１（ｂ）は図１１（ａ）におけるＢ−Ｂ断面図である。図１１に示すように、第２の従来例のバッライト装置は、導光板１を保持した枠体８の段部８ａに複数のピン７を一体的に突出する。また、２枚の光拡散シート２及びプリズムシート３にピン７に嵌合させる孔２ａ、３ａを設ける。そして枠体８の段部８ａのピン７に光拡散シート２及びプリズムシート３の各孔２ａ、３ａを嵌合させ、枠体８の段部８ａに光拡散シート２及びプリズムシート３を積層配置する。その後、ピン７の先端を加熱すると共に軸方向に押圧することにより、ピン７の先端を偏平状にかしめ変形させ変形部７ａとすることで光拡散シート２及びプリズムシート３を枠体８に固着している。
【０００５】
また、第３の従来例を図１２に示す。図１２は第３の従来例のバッライト装置の主要部を示す断面図である。図１２に示すように、第３の従来例のバッライト装置は、導光板１の表面のうち、導光板１における一つの側面に沿った二箇所の部位に先細のテーパ状に構成したピン５を一体的に突出する一方、２枚の光拡散シート２及びプリズムシート３の両ピン５が嵌まる孔２ａ、３ａを穿設する。そして、導光板１の表面に、二枚の光拡散シート２及びプリズムシート３を、これに穿設した各孔２ａ、３ａにピン５が嵌まるように積層したのち、ピン５の先端に、超音波溶着用のホーン６を接触して、超音波振動を付与した状態で軸方向に押圧する。これにより、ピン５における先細の先端が、ピン５のうち導光板１に対する付け根の部分よりも先に溶融して、偏平状にかしめ変形させ（このかしめ変形した部分を、符号５ａで示す）、各種シート２、３を導光板１に対して固着している。（例えば、特許文献１参照。）
【０００６】
【特許文献１】特開２００２−３１８３８６号公報（第３頁、図４）
【発明の開示】
【発明が解決しようとする課題】
【０００７】
しかしながら、前述の第１の従来技術におけるバックライト装置においては、窓枠状の接着テープ９等の係着部材を別に用意する必要があり、この窓枠状の接着テープ９の価格が高価である。また接着工程において接着不良が生ずる場合があり、この場合、修正するために接着テープ９を剥がす時に光拡散シート２及びプリズムシート３等のシート状部材が一緒に剥がれて、傷、汚れがつき不良品となり破棄する場合が多い。このためシーと状部材の固着に要するコスト、ひいては、バックライト装置の製造に要するコストがアップするという問題があった。
また、第２、第３の従来技術におけるバックライト装置においては、かしめ固定工程でかしめ不良が発生する場合があり、この場合は部品の再生が出来ず、全部品が不良品となり、全部品を廃棄しなければならない。また、かしめ工程においては、専用の設備を必要とする。このため、第１の従来技術と同様にバックライト装置の製造に要するコストがアップするという問題があった。
【０００８】
（発明の目的）
本発明の目的は上記従来技術における課題を解決して、組立性を向上させ、組立を容易にすると共に組立工程における接着不良、かしめ不良等によって生ずる部品不良をなくし、安価なバックライト装置を提供することにある。
【課題を解決するための手段】
【０００９】
上記目的を達成するための本発明のバックライト装置は、枠体と、該枠体に保持される導光板と、該導光板の上面側に配置される光拡散シート、プリズムシート等のシート状部材とを備えたバックライト装置において、枠体は導光板およびシート状部材を収納する枠本体と、該枠本体と分離可能に結合される略コの字状の形状をなす固定枠とを備え、枠本体は互いに対向する二つの側壁と該二つの側壁のそれぞれに厚さ方向に貫通する貫通孔とを有し、固定枠は貫通孔に結合する結合突起部を有し、貫通孔に結合突起部を係止させることによって、枠本体に固定枠を結合し、枠体に導光板及びシート状部材を保持してなることを特徴とする。
【００１０】
また、枠体は、枠本体と二つの固定枠とを備え、枠本体に設ける貫通孔は二つの側壁のそれぞれの両端付近に設けられ、その内面に凹部を有し、二つの固定枠は板状部材と該板状部材の両端のそれぞれに設ける脚部と、該それぞれの脚部の先端内側に設ける結合突起部とを有し、二つの固定枠を二つの側壁の両端付近にそれぞれ配置し、シート状部材を導光板と固定枠との間に狭持し、枠本体の貫通孔の凹部と固定枠の結合突起部とをフック結合させることによって枠本体に固定枠を結合させたことを特徴とする。
【００１１】
また、枠本体は枠状体の一辺が開口されたコの字状の平面形状をなし、二つの側壁のそれぞれの内壁の全長に亘って設ける溝と、二つの側壁の開口されている端部付近のそれぞれに設ける貫通孔とを有し、固定枠は板状部材と該板状部材の四隅のそれぞれに設ける四つの脚部と、該四つの脚部の先端にそれぞれ設ける結合突起部とを有し、溝に導光板及びシート状部材を挿入配置した後、二つの側壁の開口されている端部に固定枠を当接し、枠本体の貫通孔と固定枠の結合突起部とをフック結合させることによって枠本体に固定枠を結合させたことを特徴とする。
【発明の効果】
【００１２】
以上のように本発明のバックライト装置は、導光板および光拡散シート２及びプリズムシート３等のシート状部材が収納されている枠本体に、枠本体と分離可能な固定枠を結合し、枠体に導光板及びシート状部材を保持する構成を採用することよって、シート状部材を枠体に保持する工程で発生する接着不良、かしめ不良を無くすことができる。また、接着テープ等の係着部材を別に用意する必要もなく、かしめ工程のための専用の設備も必要としない。この結果、組立性を向上させ、組立を容易にすると共に組立工程における部品不良をなくし、安価なバックライト装置を提供することができる。
【発明を実施するための最良の形態】
【００１３】
本発明の実施形態におけるバックライト装置は、枠体と、該枠体に保持される導光板と、該導光板の上面側に配置される光拡散シート、プリズムシート等のシート状部材とを備えている。また、枠体は、導光板およびシート状部材を収納する枠本体と、枠本体と分離可能に結合される略コの字状の形状をなす固定枠とからなり、枠本体には互いに対向する二つの側壁のそれぞれに厚さ方向に貫通する貫通孔が形成されている。また、固定枠には枠本体に設けた貫通孔に結合する結合突起部を形成し、貫通孔に結合突起部を係止させることによって、枠本体に固定枠を結合し、枠体に導光板及びシート状部材を保持するように構成されている。このように、本発明の実施形態のバックライト装置は枠体の構成に特徴があり、その他の構成は従来技術におけるバックライト装置と類似している。したがって、枠体の構成について詳述し、従来例と同様な他の構成要素については同一番号を付与し説明を省略する。
以下、本発明の実施形態における具体的な実施例について図１から図９を参照して詳細に説明する。図１から図４は本実施形態の実施例１におけるバックライト装置の枠体を示し、図５から図９は実施例２におけるバックライト装置の枠体を示す図である。
【実施例１】
【００１４】
実施例１におけるバックライト装置の枠体について図１から図４に基づいて説明する。図１は実施例１におけるバックライト装置の枠体を示す分解斜視図、図２は  枠本体の部分拡大図で、図２（ａ）は斜視図、図２（ｂ）は図２（ａ）におけるＣ−Ｃ断面図である。また、図３は、固定枠を示す斜視図、図４は、枠本体と固定枠とを結合した枠体を示し、図４（ａ）は斜視図、図４（ｂ）は図４（ａ）におけるＤ−Ｄ断面図である。以下、図に基づいて実施例１におけるバックライト装置の枠体について説明する。
【００１５】
図１に示すように本実例におけるバックライト装置の枠体１０は、導光板１および光拡散シート２やプリズムシート３等のシート状部材を収納する枠本体１０ｂと、枠本体１０ｂと分離可能に結合される二つ固定枠１０ａとで構成されている。枠本体１０ｂは側壁１８ａ、１８ｂ、１８ｃ、１８ｄを有する枠状の形状をなし、この枠本体１０ｂの内部には導光板１、光拡散シート２、プリズムシート３等が積層されて収納されるようになっている。また、互いに対向する二つの側壁１８ａ、１８ｂのそれぞれの内側に段部１５ａ、１５ｂが形成されており、この段部１５ａ、１５ｂのそれぞれの両端付近には厚さ方向に貫通し、開口部が略長方形の形状をなす貫通孔１６ａ、１６ｂ、１６ｃ、１６ｄが設けられている。
【００１６】
また、図２に示すように段部１５ａ、１５ｂの一方の端部付近に設けるそれぞれの貫通孔１６ａ、１６ｂには側壁１８ａ、１８ｂの内側と対向する内面に凹部１７ａ、１７ｂが設けられている。この凹部１７ａ、１７ｂは枠本体１０ｂがモールド成型によって製作されるため、段部１５ａ、１５ｂの下面側が開口されていることが好ましく、また、薄型化の上でも好ましい。尚、図示していないが段部１５ａ、１５ｂの他方の端部付近に設けるそれぞれの貫通孔１６ｃ、１６ｄの内面にも同様に凹部が設けられている。
【００１７】
一方、固定枠１０ａは図３に示すように板状部材１１の両端のそれぞれに脚部１２ａ、１２ｂを有する略コの字状の形状をなし、脚部１２ａ、１２ｂのそれぞれの先端から内側に向かって突出する結合突起部１３ａ、１３ｂが形成されている。
【００１８】
次に枠本体１０ｂと固定枠１０ａと結合させることによって枠体１０に導光板１、光拡散シート２、プリズムシート３を保持する方法について説明する。図１において、枠本体１０ｂの内部に導光板１を配置する。尚、図示していないが、この時、導光板１は枠本体１０ｂにフック結合等の公知の方法により所定の位置に保持される。次に２枚の光拡散シート２、プリズムシート３を順次積層して配置する。その後二つの固定枠１０ａを二つの側壁１８ａ、１８ｂにおける両端付近のそれぞれの上方に配置し、固定枠１０ａの脚部１２ａ、１２ｂを枠本体１０ｂの段部１５ａ、１５ｂのそれぞれに対向させる。そして側壁１８ａ、１８ｂにおける段部１５ａ、１５ｂの一方の端部付近に設ける貫通孔１６ａ、１６ｂに一方の固定枠１０ａの脚部１２ａ、１２ｂをそれぞれ挿入する。さらに、段部１５ａ、１５ｂの他方の端部付近に設ける貫通孔１６ｃ、１６ｄに他方の固定枠１０ａの脚部１２ａ、１２ｂをそれぞれ挿入する。
【００１９】
さらに、一方の固定枠１０ａを上から押圧し、図４に示すように、貫通孔１６ａ、１６ｂに設ける凹部１７ａ、１７ｂと、一方の固定枠１０ａの脚部１２ａ、１２ｂの先端に設ける結合突起部１３ａ、１３ｂとをそれぞれフック結合させることによって枠本体１０ｂに一方の固定枠１０ａを結合させる。同様に、他方の固定枠１０ａを上から押圧し貫通孔１６ｃ、１６ｄに設ける凹部（図示せず）と、他方の固定枠１０ａの結合突起部１３ａ、１３ｂとをそれぞれフック結合させ枠本体１０ｂに他方の固定枠１０ａを結合させる。これによって、光拡散シート２、プリズムシート３が導光板１と固定枠１０ａとで狭持され、光拡散シート２、プリズムシート３等のシート状部材が枠体１０に保持される。
【００２０】
尚、枠本体１０ｂと一方の固定枠１０ａとの結合を解除する場合は、枠本体１０ｂの下面側における貫通孔１６ａ、１６ｂの開口部からピンセット等の工具を用いて貫通孔１６ａ、１６ｂに設ける凹部１７ａ、１７ｂと、固定枠１０ａの結合突起部１３ａ、１３ｂとのフック結合を解除する。前述したように、凹部１７ａ、１７ｂの下面側は開口されているためフック結合を簡単に解除することができる。このようにフック結合を解除する上でも凹部１７ａ、１７ｂの下面側を開口しておくことは好ましい。また、他方の固定枠１０ａについても同様にその結合を解除することができる。これによって、枠本体１０ｂと固定枠１０ａとの結合を解除し分離することができる。
【００２１】
以上のように本実施例におけるバックライト装置は、枠本体１０ｂに固定枠１０ａをフック結合し、枠体１０に光拡散シート２、プリズムシート３等のシート状部材を保持するため、従来例にような接着不良や、かしめ不良は発生しない。また、係着部材を別に用意する必要もなく、専用の設備も必要としない。この結果、組立性を向上させ、組立を容易にすると共に組立工程における部品不良をなくし、安価なバックライト装置を提供することができる。また、枠本体１０ｂ、固定枠１０ａは共にモールド成型によって製作されているため枠本体１０ｂと固定枠１０ａとが結合された枠体１０は、機械的な強度に優れ、外部からの衝撃に対しても充分な強度を有する。このため導光板１や光拡散シート２及びプリズムシート３等を確実に保持することができる。
【実施例２】
【００２２】
次に、実施例２におけるバックライト装置の枠体について図５から図９に基づいて説明する。図５は実施例２におけるバックライト装置の枠体を示す分解斜視図、図６は枠本体の部分拡大図、図６（ａ）は斜視図、図６（ｂ）は図６（ａ）におけるＥ−Ｅ断面図、図６（ｃ）は図６（ａ）におけるＦ−Ｆ断面図である。また、図７は固定枠を示し、図７（ａ）は斜視図、図７（ｂ）は側面図である。図８は枠本体と固定枠とを結合した枠体を示し、図８（ａ）は斜視図、図８（ｂ）は図８（ａ）におけるＧ−Ｇ断面図、図９（ａ）は図８（ａ）におけるＨ−Ｈ断面図、図９（ｂ）は図８（ａ）におけるＫ−Ｋ断面図である。以下、図に基づいて実施例２におけるバックライト装置の枠体について説明する。
【００２３】
図５に示すように本実例におけるバックライト装置の枠体２０は、導光板１および光拡散シート２やプリズムシート３等のシート状部材を収納する枠本体２０ｂと、枠本体２０ｂと分離可能に結合される固定枠２０ａとで構成されている。枠本体２０ｂは図６に示すように、三つの側壁２８ａ、２８ｂ、２８ｃを有し、枠状体の一辺が開口されたコの字状の平面形状をなしている。また、互いに対向する二つの側壁２８ａ、２８ｂのそれぞれの内側に段部２５ａ、２５ｂが形成されており、この段部２５ａ、２５ｂのそれぞれの内壁には長さ方向に延びる溝２７ａ、２７ｂが全長に亘って形成されている。さらに、二つの側壁２８ａ、２８ｂの開口されている端部付近に位置する段部２５ａ、２５ｂのそれぞれに厚さ方向に貫通し、開口部が略長方形の形状をなす貫通孔２６ａ、２６ｂが設けられている。
【００２４】
一方、固定枠２０ａは図７に示すように板状部材２１の四隅のそれぞれに四つの脚部２２ａ、２２ｂ、２２ｃ、２２ｄを有する略コの字状の形状をなし、この四つの脚部２２ａ、２２ｂ、２２ｃ、２２ｄのそれぞれの先端から内側に向かって突出する結合突起部２３ａ、２３ｂ２３ａ、２３ｂが形成されている
【００２５】
次に、枠本体２０ｂと固定枠２０ａと結合させることによって枠体２０に導光板１、光拡散シート２、プリズムシート３を保持する方法について説明する。図５において、導光板１、光拡散シート２、プリズムシート３を積層した状態で枠本体２０ｂの開口されている側から枠体内部に挿入する。この時、枠本体２０ｂの二つの側壁２８ａ、２８ｂの段部２５ａ、２５ｂのそれぞれの内壁に設ける溝２７ａ、２７ｂに導光板１、光拡散シート２、プリズムシート３の両端を嵌合させて挿入し、所定の位置に配置する。
【００２６】
次に枠本体２０ｂの二つの側壁２８ａ、２８ｂの開口されている端部側に固定枠２０ａ配置し、固定枠２０ａの一方の端部に設ける脚部２２ａ、２２ｂを枠本体２０ｂの段部２５ａに対向させ、固定枠２０ａの他方の端部に設ける脚部２２ｃ、２２ｄを枠本体２０ｂの段部２５ｂに対向させる。そして脚部２２ａ、２２ｂで段部２５ａを厚さ方向に挟むように、また脚部２２ｃ、２２ｄで段部２５ｂを厚さ方向に挟むようにして固定枠２０ａを枠本体２０ｂの方向に移動する。
【００２７】
さらに、固定枠２０ａを押圧し、図８、図９に示すように枠本体２０ｂの二つの側壁２８ａ、２８ｂの開口されている端部に固定枠２０ａの板状部材２１を当接し、側壁２８ａに設ける貫通孔２６ａの上下両開口部と固定枠２０ａの脚部２２ａ、２２ｂの先端に設ける結合突起部２３ａ、２３ｂとをフック結合させ、側壁２８ｂに設ける貫通孔２６ｂの上下両開口部と固定枠２０ａの脚部２２ｃ、２２ｄの先端に設ける結合突起部２３ｃ、２３ｄとをフック結合させ枠本体２０ｂに固定枠２０ａを結合させる。これによって導光板１、光拡散シート２、プリズムシート３が枠体２０に保持される。
【００２８】
尚、枠本体２０ｂと固定枠２０ａとの結合を解除する場合は、枠本体２０ｂの貫通孔２６ａと結合突起部２３ａとの隙間にピンセット等の工具を差し込み貫通孔２６ａと結合突起部２３ａとのフック結合を解除する。同様に他の３箇所の貫通孔と結合突起部とのフック結合を解除する。これによって、枠本体２０ｂと固定枠２０ａとの結合を解除し、分離することができる。
【００２９】
以上のように本実施例におけるバックライト装置によれば、実施例１と同様に、組立性を向上させ、組立を容易にすると共に組立工程における部品不良をなくし、安価なバックライト装置を提供することができる。また、導光板１や光拡散シート２及びプリズムシート３等を確実に保持することができる。
【図面の簡単な説明】
【００３０】
【図１】本発明の実施例１におけるバックライト装置の枠体を示す分解斜視図である。
【図２】本発明の実施例１における枠本体の部分拡大図で、図２（ａ）は斜視図、図２（ｂ）は図２（ａ）におけるＣ−Ｃ断面図である。
【図３】本発明の実施例１における固定枠を示す斜視図である。
【図４】本発明の実施例１における枠体を示し、図４（ａ）は斜視図、図４（ｂ）は図４（ａ）におけるＤ−Ｄ断面図である。
【図５】本発明の実施例２におけるバックライト装置の枠体を示す分解斜視図である。
【図６】本発明の実施例２における枠本体の部分拡大図で、図６（ａ）は斜視図、図６（ｂ）は図６（ａ）におけるＥ−Ｅ断面図、図６（ｃ）は図６（ａ）におけるＦ−Ｆ断面図である。
【図７】本発明の実施例２における固定枠を示し、図７（ａ）は斜視図、図７（ｂ）は側面図である。
【図８】本発明の実施例２における枠体を示し、図８（ａ）は斜視図、図８（ｂ）は図８（ａ）におけるＧ−Ｇ断面図である。
【図９】図８における枠体の断面図を示し、図９（ａ）は図８（ａ）におけるＨ−Ｈ断面図、図９（ｂ）は図８（ａ）におけるＫ−Ｋ断面図である。
【図１０】第１の従来例におけるバックライト装置の主要部を示し、図１０（ａ）は平面図、図１０（ｂ）は図１０（ａ）におけるＡ−Ａ断面図である。
【図１１】第２の従来例におけるバックライト装置の主要部を示し、図１１（ａ）は平面図、図１１（ｂ）は図１１（ａ）におけるＢ−Ｂ断面図である。
【図１２】第３の従来例におけるバックライト装置の主要部を示す部分拡大断面図である。
【符号の説明】
【００３１】
１ 
導光板
２ 
光拡散シート
２ａ  孔
３ 
プリズムシート
３ａ  孔  
５、７  ピン
５ａ、７ａ  かしめ変形部
６    超音波溶着用のホーン
８    枠体
８ａ  段部
９    接着テープ
１０    枠体
１０ａ  固定枠
１０ｂ  枠本体
１１    板状部材
１２ａ、１２ｂ  脚部
１３ａ、１３ｂ  結合突起部
１５ａ、１５ｂ  段部
１６ａ、１６ｂ、１６ｃ、１６ｄ  貫通孔
１７ａ、１７ｂ  凹部
１８ａ、１８ｂ  側壁
２０    枠体
２０ａ  固定枠
２０ｂ  枠本体
２１    板状部材
２２ａ、２２ｂ、２２ｃ、２２ｄ  脚部
２３ａ、２３ｂ、２３ｃ、２３ｄ  結合突起部
２５ａ、２５ｂ  段部
２６ａ、２６ｂ  貫通孔
２７ａ、２７ｂ  凹部
２８ａ、２８ｂ  側壁
【図１】
2006164522.tif 000003
【図２】
2006164522.tif 000004
【図３】
2006164522.tif 000005
【図４】
2006164522.tif 000006
【図５】
2006164522.tif 000007
【図６】
2006164522.tif 000008
【図７】
2006164522.tif 000009
【図８】
2006164522.tif 000010
【図９】
2006164522.tif 000011
【図１０】
2006164522.tif 000012
【図１１】
2006164522.tif 000013
【図１２】
2006164522.tif 000014